【手続補正書】
【提出日】平成23年4月11日(2011.4.11)
【手続補正１】
【補正対象書類名】特許請求の範囲
【補正対象項目名】全文
【補正方法】変更
【補正の内容】
【特許請求の範囲】
【請求項１】
患者の皮膚組織を治療するためのシステムであって、
マイクロ波エネルギー発生器と、
該患者の該皮膚組織に近接して設置するように構成されるマイクロ波アンテナと、
該患者の該皮膚組織と接触して設置するように構成される冷却要素と、
該皮膚組織を上昇させ、該皮膚組織を該冷却要素と接触して設置するように構成される吸引要素と
を備え、該マイクロ波アンテナは、該マイクロ波エネルギー発生器に動作可能に連結され、該マイクロ波アンテナは、該皮膚組織内の標的組織において熱的効果を生成するのに十分なエネルギーを該皮膚組織に送達するように構成される、システム。
【請求項２】
前記マイクロ波アンテナは、単一スロット、多重スロット、導波管、ホーン、プリントスロット、パッチ、ビバルディ、およびそれらの組み合わせから成る群より選択される、請求項１に記載のシステム。
【請求項３】
前記マイクロ波アンテナは、導波管アンテナ、導波管アンテナの配列、単一スロットアンテナ、または二重スロットアンテナである、請求項１に記載のシステム。
【請求項４】
前記マイクロ波エネルギー発生器は、約２．４５ＧＨｚの周波数でマイクロ波エネルギーを送達するように構成される、請求項１〜３のいずれかに記載のシステム。
【請求項５】
前記マイクロ波エネルギー発生器は、約５．８ＧＨｚの周波数でマイクロ波エネルギーを送達するように構成される、請求項１〜３のいずれかに記載のシステム。
【請求項６】
前記冷却要素は、固体冷却剤、液体スプレー、ガス状スプレー、冷却板、熱電冷却器、およびそれらの組み合わせから成る群より選択される、請求項１〜５のいずれかに記載のシステム。
【請求項７】
前記冷却要素は、熱伝導板を備える、請求項１〜５のいずれかに記載のシステム。
【請求項８】
前記熱伝導板は、マイクロ波エネルギーを実質的に通す、請求項７に記載のシステム。
【請求項９】
前記熱伝導板は、セラミックを備える、請求項７または８に記載のシステム。
【請求項１０】
前記冷却要素は、さらに、前記熱伝導板に隣接する流動チャンバを備え、該流動チャンバは、液体冷却剤を保持するように構成される、請求項７〜９のいずれかに記載のシステム。
【請求項１１】
前記液体冷却剤は、水、脱イオン水、アルコール、油、およびそれらの組み合わせから成る群より選択される、請求項１０に記載のシステム。
【請求項１２】
前記吸引要素は、前記皮膚組織の少なくとも一部分を取得するように構成される吸引チャンバを備える、請求項１〜１１のいずれかに記載のシステム。
【請求項１３】
前記吸引チャンバはさらに、少なくとも１つの先細壁を伴って構成される、請求項１２に記載のシステム。
【請求項１４】
温度センサをさらに備える、請求項１〜１３のいずれかに記載のシステム。
【請求項１５】
前記温度センサは、前記皮膚組織の温度を監視するために構成される熱電対を備える、請求項１４に記載のシステム。
【請求項１６】
前記冷却要素は、マイクロ波アンテナに隣接する熱伝導板を備え、該熱伝導版は、前記皮膚組織に接触することと、該皮膚組織を冷却することと、該皮膚組織を該マイクロ波アンテナから物理的に分離することとを行うように構成され、前記吸引チャンバは、該皮膚組織を少なくとも部分的に取得し、該皮膚組織を冷却板と接触させるように構成される、請求項１に記載のシステム。
【請求項１７】
過剰エネルギー場を含有するように構成される遮蔽体をさらに備える、請求項１６に記載のシステム。
【請求項１８】
前記遮蔽体は、反射材料から成る、請求項１７に記載のシステム。
【請求項１９】
前記遮蔽体は、エネルギー吸収材料から成る、請求項１７に記載のシステム。
【手続補正２】
【補正対象書類名】明細書
【補正対象項目名】０００４
【補正方法】変更
【補正の内容】
【０００４】
（治療の概説）
一実施形態では、マイクロ波療法であるエネルギー療法の非侵襲的送達のための方法、装置、およびシステムを本明細書で開示する。エネルギー療法は、多数の治療および／または審美的結果を達成するように、種々の標的組織に送達することができる。治療、治療効果、治療範囲／領域という用語は、標的組織および／または任意の標的構造の治療に関してもよく、治療自体は、修正、不活性化、無効化、脱神経、損傷、エレクトロポレーション、アポトーシス、壊死、凝固、アブレーション、熱変質、および破壊といった方法のうちの１つ以上で、標的組織および／または標的構造に影響を及ぼしてもよい。より具体的には、所望の治療効果を達成するために、一実施形態では、標的組織および／またはその中の標的構造において少なくとも約５０℃の温度に到達するステップを使用することができる。加えて、一実施形態では、標的組織の熱アブレーションをもたらすために、標的組織を約６０℃に加熱するのに十分な熱エネルギーを送達するステップを使用することができる。
例えば、本発明は以下の項目を提供する。
（項目１）
患者の皮膚組織を治療するためのシステムであって、
マイクロ波エネルギー発生器と、
該患者の該皮膚組織に近接して設置するように構成されるマイクロ波アンテナと、
該患者の該皮膚組織と接触して設置するように構成される冷却要素と、
該皮膚組織を上昇させ、該皮膚組織を該冷却要素と接触して設置するように構成される吸引要素と
を備え、該マイクロ波アンテナは、該マイクロ波エネルギー発生器に動作可能に連結され、該マイクロ波アンテナは、該皮膚組織内の標的組織において熱的効果を生成するのに十分なエネルギーを該皮膚組織に送達するように構成される、システム。
（項目２）
上記マイクロ波アンテナは、単一スロット、多重スロット、導波管、ホーン、プリントスロット、パッチ、ビバルディ、およびそれらの組み合わせから成る群より選択される、項目１に記載のシステム。
（項目３）
上記マイクロ波アンテナは、導波管アンテナである、項目１に記載のシステム。
（項目４）
上記導波管アンテナは、導波管アンテナの配列を備える、項目３に記載のシステム。
（項目５）
上記マイクロ波アンテナは、単一スロットアンテナである、項目１に記載のシステム。
（項目６）
上記マイクロ波アンテナは、二重スロットアンテナを備える、項目１に記載のシステム。
（項目７）
上記マイクロ波エネルギー発生器は、約２．４５ＧＨｚの周波数でマイクロ波エネルギーを送達するように構成される、項目１に記載のシステム。
（項目８）
上記マイクロ波エネルギー発生器は、約５．８ＧＨｚの周波数でマイクロ波エネルギーを送達するように構成される、項目１に記載のシステム。
（項目９）
上記冷却要素は、固体冷却剤、液体スプレー、ガス状スプレー、冷却板、熱電冷却器、およびそれらの組み合わせから成る群より選択される、項目１に記載のシステム。
（項目１０）
上記冷却要素は、熱伝導板を備える、項目１に記載のシステム。
（項目１１）
上記熱伝導板は、マイクロ波エネルギーを実質的に通す、項目１０に記載のシステム。
（項目１２）
上記熱伝導板は、セラミックを備える、項目１に記載のシステム。
（項目１３）
上記冷却要素は、さらに、上記熱伝導板に隣接する流動チャンバを備え、該流動チャンバは、液体冷却剤を保持するように構成される、項目１０に記載のシステム。
（項目１４）
上記液体冷却剤は、上記流動チャンバを通って流れるように構成され、それにより、上記熱伝導板を冷却する、項目１３に記載のシステム。
（項目１５）
上記液体冷却剤は、水、脱イオン水、アルコール、油、およびそれらの組み合わせから成る群より選択される、項目１３に記載のシステム。
（項目１６）
上記液体冷却剤は、脱イオン水を備える、項目１３に記載のシステム。
（項目１７）
上記液体冷却剤はさらに、アルコールを備える、項目１６に記載のシステム。
（項目１８）
上記吸引要素は、上記皮膚組織の少なくとも一部分を取得するように構成される吸引チャンバを備える、項目１に記載のシステム。
（項目１９）
上記吸引チャンバは、真空源に動作可能に連結される、項目１８に記載のシステム。
（項目２０）
上記吸引チャンバはさらに、少なくとも１つの先細壁を伴って構成される、項目１８に記載のシステム。
（項目２１）
温度センサをさらに備える、項目１に記載のシステム。
（項目２２）
上記温度センサは、上記皮膚組織の温度を監視するために構成される熱電対を備える、項目２１に記載のシステム。
（項目２３）
患者の皮膚組織を非侵襲的に治療するためのマイクロ波エネルギー送達装置であって、
マイクロ波アンテナに隣接する熱伝導板と、
吸引チャンバと
を備え、該熱伝導板は、該皮膚組織に接触し、該皮膚組織を冷却し、該皮膚組織を該マイクロ波アンテナから物理的に分離するように構成され、該吸引チャンバは、該皮膚組織を少なくとも部分的に取得し、該皮膚組織を冷却板と接触させるように構成される、装置。
（項目２４）
過剰エネルギー場を含有するように構成される遮蔽体をさらに備える、項目２３に記載の装置。
（項目２５）
上記遮蔽体は、反射材料から成る、項目２４に記載の装置。
（項目２６）
上記遮蔽体は、エネルギー吸収材料から成る、項目２４に記載の装置。
（項目２７）
患者の皮膚組織の中に皮下病変を生成する方法であって、
該皮膚組織にマイクロ波エネルギーを送達することと、
該皮膚組織に冷却要素を適用することと
を含み、該マイクロ波エネルギーは、ある電力、ある周波数、およびある継続時間で送達され、該冷却要素は、該皮膚組織の真皮層と皮下層との間の接合部において病変を生成するのに十分な温度および継続時間で適用される一方で、該皮膚組織の該表皮および該真皮層における非標的組織の熱変質を最小化する、方法。
（項目２８）
患者の汗の産生を低減する方法であって、
治療される皮膚の領域を識別することと、
吸引チャンバ内に該皮膚を取得するように真空ポンプを起動することと、
冷却要素を介して該皮膚の第１層を冷却することと、
該皮膚の第１層が保護的に冷却されている間に、汗腺を熱的に改変するのに十分なマイクロ波エネルギーを、該汗腺を含有する皮膚の第２層に送達することであって、該第２層は、皮膚表面に対して該第１層よりも深い、ことと、
該皮膚を解放するために該真空ポンプを動作停止させることと
を含む、方法。
（項目２９）
患者の皮膚組織を治療する方法であって、
該皮膚組織の上にマイクロ波エネルギー送達付与装置を配置することと、
該マイクロ波エネルギー送達付与装置に近接して該皮膚組織を固定することと、
該皮膚組織の表面を冷却することと、
該皮膚組織内の標的組織において熱的効果を生成するのに十分なエネルギーを、該マイクロ波エネルギー送達付与装置を介して該皮膚組織に送達することと
を含む、方法。
（項目３０）
該皮膚組織の上にマイクロ波エネルギー送達付与装置を配置することは、さらに、該皮膚組織の上に単一スロット、多重スロット、導波管、ホーン、プリントスロット、らせん、パッチ、ビバルディ、およびそれらの組み合わせから成る群より選択される、マイクロ波アンテナを配置することを含む、項目２９に記載の方法。
（項目３１）
上記マイクロ波エネルギー送達付与装置に近接して上記皮膚組織を固定することはさらに、該皮膚組織に吸引を適用することを含む、項目２９に記載の方法。
（項目３２）
上記皮膚組織に吸引を適用することは、さらに、上記エネルギー送達付与装置に隣接する吸引チャンバの中に該皮膚組織を少なくとも部分的に取得することを含む、項目３１に記載の方法。
（項目３３）
上記皮膚組織を固定することはさらに、該皮膚組織を上昇させることを含む、項目２９に記載の方法。
（項目３４）
上記皮膚組織の上記表面を冷却することは、さらに、冷却要素を該皮膚表面と接触して配置することを含む、項目２９に記載の方法。
（項目３５）
上記皮膚組織の上記表面を冷却することは、さらに、該皮膚表面を伝導的に冷却することを含む、項目２９に記載の方法。
（項目３６）
上記皮膚組織の上記表面を冷却することは、さらに、該皮膚表面を対流的に冷却することを含む、項目２９に記載の方法。
（項目３７）
上記皮膚組織の上記表面を冷却することは、さらに、該皮膚表面を伝導的に、かつ対流的に冷却することを含む、項目２９に記載の方法。
（項目３８）
上記皮膚組織内の上記標的組織は、コラーゲン、毛嚢、セルライト、エクリン汗腺、アポクリン汗腺、皮脂腺、クモ状静脈、およびそれらの組み合わせから成る群より選択される、項目２９に記載の方法。
（項目３９）
上記皮膚組織内の上記標的組織は、該皮膚組織の真皮層と皮下層との間に接合部を備える、項目２９に記載の方法。
（項目４０）
上記標的組織における熱的効果は、少なくとも１つの汗腺の熱変質を含む、項目２９に記載の方法。
（項目４１）
上記標的組織における熱的効果は、少なくとも１つの汗腺のアブレーションを備える、項目２９に記載の方法。
（項目４２）
上記皮膚組織の診断パラメータを監視することをさらに含む、項目２９に記載の方法。
（項目４３）
上記診断パラメータは、インピーダンス、温度、および反射電力から成る群より選択される、項目４２に記載の方法。
（項目４４）
上記患者に、麻酔薬、ステロイド、および抗生物質から成る群より選択される薬剤を投与することをさらに含む、項目２９に記載の方法。
（項目４５）
上記患者に薬剤を投与することはさらに、経口で、局所的に、または注射を介して、該薬剤を投与することを含む、項目４４に記載の方法。